(57)【特許請求の範囲】
【請求項１】
ガスを燃焼する燃焼室と、ガスの供給を調節するガス量調設装置と、運転の発停を行う運転スイッチと、温度の設定を行うダイヤル式エンコーダを用いた温度設定スイッチと、室温を検出する室温検出器と、この室温検出器にて検出した室温が前記温度設定スイッチにて設定された温度に達したら、所定時間経過後設定温度を所定温度低下させるように前記燃焼室でのガスの燃焼を行うように前記ガス量調節装置がガスの供給を行うと共に、前記温度設定スイッチの操作後所定時間は設定温度を取り入れないように制御する制御手段と、所定温度設定温度を低下させて燃焼を行うときに表示を行う表示手段とを備えた温風暖房装置。
【請求項２】
制御手段は温度設定スイッチにて設定された設定温度が所定時間継続しないと設定温度を取り入れないように制御する請求項１記載の温風暖房装置。
【発明の詳細な説明】
【０００１】
【産業上の利用分野】
本発明は、温風により暖房を行う温風暖房機のセーブ運転の制御に関するものである。
【０００２】
【従来の技術】
従来の温風暖房装置は、例えば図４に示すように、ガスの燃焼を行うバーナ１と、バーナ１に供給するガス量を調節するガス量調節装置２と、加熱された空気を導く燃焼室３と、加熱された空気を外に吹き出すファン４と、運転の発停を行う運転スイッチ５と、温度の設定をダイヤル式のエンコーダにより行う温度設定スイッチ６と、室温を検出する室温検出器７と、室温検出器７にて検出した室温が温度設定スイッチ６にて設定された温度に達したら、所定時間経過後設定温度を所定温度低下させるようにガスの燃焼を行うセーブ運転において、所定温度設定温度を低下させて燃焼を行うときに表示を行う表示手段８がある。上記部品は制御装置９と図の破線で電気的に接続されている。
【０００３】
次にその動作について説明する。図５は制御装置９のシーケンスフローを示し、左肩に示すシーケンスナンバーＡ１で運転スイッチ５を押すと、Ａ２でファン４が回転を開始し、Ａ３にてバーナ１にガスが供給され燃焼が開始する。このときに室温検出器７が室温の検出を開始し、温度設定スイッチ６にて設定された温度（以降設定温度とする）よりも室温検出器７にて検出された室温（以降室温とする）が低いときには、ガス量調節装置２がガス量を調節して設定温度になるようにバーナ１にガスを供給し燃焼する。このときから温度設定スイッチ６にて設定される設定温度を制御装置９が取り込む。
【０００４】
Ａ４にて、室温が設定温度以上になったときは、設定時間は室温が設定温度になるようにガス量調節装置２がバーナ１に供給するガス量を調節して燃焼する。Ａ５にて設定時間経過するとＡ６にて設定温度よりも所定温度低下させた温度になるようにガス量調節装置２がバーナ１に供給するガス量を調節して燃焼する。このとき表示手段８が点灯する。さらにＡ７にて、設定時間経過するとＡ８にて設定温度よりも所定温度低下させた温度になるようにガス量調節装置２がバーナ１に供給するガス量を調節して燃焼する。この運転方法をセーブ運転と呼んでいる。セーブ運転には、運転スイッチを入れると、必ず動作して、ユーザーの設定した温度よりも低めになるように燃焼するものと、切替スイッチを設けてユーザーにセーブ運転ありなしの選択をしてもらうタイプがある。
【０００５】
温度の設定を行う温度設定スイッチ６は、ダイヤル式のエンコーダスイッチを使用している。これは、スイッチを回すことにより簡単に温度を変更することができる。従来のタクトスイッチと比較すると非常に回しやすく、温度設定の変更が容易である。運転スイッチ５をＯＮにして、燃焼を開始したときに温度設定スイッチ６を操作して好みの温度に設定する際、温度設定スイッチ６が回しやすいため、温度設定スイッチ６を一旦下げてから好みの温度に設定することが多い。
【０００６】
そうすると、現在の室温が設定温度よりも高くなることがあり、Ａ４にてこの温度を取り入れてしまい、Ａ５にて設定時間経過すると、表示手段８が表示（セーブ運転表示）をする。実際には、最終設定された温度が高く室温が低い状態になっていることがあり、そうなると、最終設定された温度になるように燃焼する。ここで燃焼状態はセーブ運転になっていないにもかかわらず、表示はセーブ運転表示をしていることになる。室温が設定温度よりも低い状態で温度設定、スイッチ６を操作したとき、設定温度が室温より低くなったときには、必ずこの現象となってしまう。
【０００７】
【発明が解決しようとする課題】
しかしながら、上記のような構成では、運転スイッチ５をＯＮにして、燃焼を開始したときに温度設定スイッチ６を操作して好みの温度に設定する際、温度設定スイッチ６が回しやすいため、温度設定スイッチ６を一旦下げてから好みの温度に設定することが多い。そうすると、現在の室温が設定温度よりも高くなることがあり、この室温を取り入れてしまい、設定時間経過すると、表示手段８が表示（セーブ運転表示）する。しかし、最終設定された温度が高く、設定時間経過後でも、室温が設定温度よりも低い状態になっていることがある。そうなると、最終設定された温度になるように燃焼を行う。つまり、燃焼状態はセーブ運転になっていないにもかかわらず、表示はセーブ運転表示をしていることになり、使用者に混乱を与える。
【０００８】
【課題を解決するための手段】
本発明の温風暖房装置の第１手段は、ガスを燃焼する燃焼室と、ガスの供給を調節するガス量調設装置と、運転の発停を行う運転スイッチと、温度の設定を行うダイヤル式エンコーダを用いた温度設定スイッチと、室温を検出する室温検出器と、この室温検出器にて検出した室温が前記温度設定スイッチにて設定された温度に達したら、所定時間経過後設定温度を所定温度低下させるように前記燃焼室でのガスの燃焼を行うように前記ガス量調節装置がガスの供給を行うと共に、前記温度設定スイッチの操作後所定時間は設定温度を取り入れないように制御する制御手段と、所定温度設定温度を低下させて燃焼を行うときに表示を行う表示手段とを備えたものである。
【０００９】
また本発明の第２の手段は、温度設定スイッチにて設定された設定温度が所定温度継続しないと設定温度を取り入れないように制御する制御手段を備えたものである。
【００１０】
【作用】
上記第一の手段により、本発明の温風暖房装置は、制御手段の働きにより、セーブ運転の設定温度を読み込む際に、温度設定スイッチを操作したあと所定時間は設定温度を取り込まないようにしたものである。これにより、ダイヤル式の温度設定スイッチのように、簡単な操作で大きく設定温度を可変できるものにおいて、セーブ運転とその表示を同期することができ、使用者にとっては安心して使用することができる。
【００１１】
第二の手段により、本発明の温風暖房装置は、温度設定スイッチにて設定された設定温度が所定温度継続しないと設定温度を取り入れないもので、これも、ダイヤル式の温度設定スイッチのように、簡単な操作で大きく設定温度を可変できるものにおいて、セーブ運転とその表示を同期することができ、使用者にとっては安心して使用することができる。
【００１２】
【実施例】
本発明の温風暖房装置は、例えば図１に示すように、ガスの燃焼を行うバーナ１と、バーナ１にガスの供給を調節するガス量調節装置２と、加熱された空気を導く燃焼室３と、加熱された空気を外に吹き出すファン４と、運転の発停を行う運転スイッチ５と、温度の設定をダイヤル式のエンコーダにより行う温度設定スイッチ６と、室温を検出する室温検出器７と、室温検出器７にて検出した室温が温度設定スイッチ６にて設定された温度に達したら、所定時間経過後設定温度を所定温度低下させるようにガスの燃焼を行うようセーブ運転時に、所定温度設定温度を低下させて燃焼を行うときに表示を行う表示手段８がある。
【００１３】
また、上記部品は制御装置１１と図の破線で電気的に接続されている。制御装置９は、セーブ運転の設定温度を読み込む際に、温度設定スイッチ６を操作したあとは、所定時間は設定温度を取り込まないようにした制御手段１０を有している。
【００１４】
次に制御手段１０の動作について説明する。図２は制御手段１０のシーケンスフローを示し、左肩に示すシーケンスナンバーＢ１で運転スイッチ５を押すと、Ｂ２でファン４が回転を開始し、Ｂ３にてバーナ１にガスが供給され燃焼が開始する。このときに室温検出器７が室温の検出を開始し、温度設定スイッチ６にて設定された温度（設定温度）よりも室温検出器７にて検出された室温（室温）が低いときには、ガス量調節装置２がガス量を調節して設定温度になるようにバーナ１にガスを供給し燃焼する。このときから、制御手段１０が設定温度を記憶する。Ｂ４にて、温度設定スイッチ６が操作されるとＢ１０にて所定時間経過したあと、Ｂ１２にて、再度設定温度を記憶し直す。Ｂ４にて設定温度の変更がないとき、さらにＢ１０にて所定時間経過したあと、Ｂ５にて室温と設定温度の比較を行い、室温が設定温度以上になったときは、設定時間は室温が設定温度になるようにガス量調節装置２がバーナ１に供給するガス量を調節して燃焼する。Ｂ６にて設定時間経過するとＢ７にて設定温度よりも所定温度低下させた温度になるようにガス量調節装置２がバーナ１に供給するガス量を調節して燃焼する。このとき表示手段８が点灯する。さらにＢ８にて、所定時間経過すると設定温度よりも所定温度低下させた温度になるようにガス量調節装置２がバーナ１に供給するガス量を調節して燃焼する。温度の設定を行う温度設定スイッチ６は、ダイヤル式のエンコーダースイッチを使用している。これは、スイッチを回すことにより簡単に温度を変更することができる。従来のタクトスイッチと比較すると非常に回しやすく、温度設定の変更が容易であり、しかも大幅な温度変更が可能である。運転スイッチ５をＯＮにして、燃焼を開始したときに温度設定スイッチ６を操作して好みの温度に設定する際、温度設定スイッチ６が回しすやいため、温度設定スイッチ６を一旦下げてから好みの温度に設定することが多い。そうすると、現在の室温が設定温度よりも高くなることがあり、従来の技術では設定時間経過すると、表示装置が表示（セーブ運転表示）をする。実際には、最終設定された温度が高く室温が低い状態になっていることがあり、そうなると、最終設定された温度になるように燃焼する。燃焼状態はセーブ運転になっていないにもかかわらず、表示はセーブ運転表示をしていることになる。しかし本発明の実施例によると、設定温度の変更をしたときには、セーブ運転の設定温度を取り込まないために、運転初期に設定温度の変更があっても、セーブ運転とその表示を同期することができる。
【００１５】
次に第２の実施例について説明する。制御装置１１（図示せず）は、セーブ運転の設定温度を読み込む際に、温度設定スイッチ６の設定温度が所定時間継続しないと取り込まないようにしたものである。
【００１６】
次にその動作について説明する。図3は制御手段１１のシーケンスフローを示し、左肩に示すシーケンスナンバーＣ１で運転スイッチ５を押すと、Ｃ２でファン４が回転を開始し、Ｃ３にてバーナ１にガスが供給され燃焼が開始する。このときに室温検出器７が室温の検出を開始する。Ｃ４で設定温度が所定時間継続するとＣ５にて設定温度を取り込み、制御手段１１が設定温度を記憶する。Ｃ６にて設定温度よりも室温が低いときには、ガス量調節装置２がガス量を調節して設定温度になるようにバーナ１にガスを供給し燃焼する。また、設定温度よりも室温が高くなると、ガス量調節装置２がガス量を調節して室温が設定温度になるようにバーナ１にガスを供給し燃焼し、Ｃ７にて所定時間経過したら、Ｃ８にて設定温度よりも所定温度低下させた温度になるようにガス量調節装置２がバーナ１に供給するガス量を調節して燃焼する。このとき表示手段８が点灯する。さらにＣ９にて所定時間経過すると、Ｃ１０にてさらに設定温度よりも所定温度低下させた温度になるようにガス量調節装置２がバーナ１に供給するガス量を調節して燃焼する。温度の設定を行う温度設定スイッチ６は、ダイヤル式のエンコーダースイッチを使用している。これは、スイッチを回すことにより簡単に温度を変更することができる。従来のタクトスイッチと比較すると非常に回しやすく、温度設定の変更が容易であり、しかも大幅な温度変更が可能である。運転スイッチ５をＯＮにして、燃焼を開始したときに温度設定スイッチ６を操作して好みの温度に設定する際、温度設定スイッチ６が回しすやいため、温度設定スイッチ６を一旦下げてから好みの温度に設定することが多い。そうすると、現在の室温が設定温度よりも高くなることがあり、従来の技術では設定時間経過すると、表示装置が表示（セーブ運転表示）をする。実際には、最終設定された温度が高く室温が低い状態になっていることがあり、そうなると、最終設定された温度になるように燃焼する。しかし、一旦設定温度が室温と一致しているため、その温度を取り入れてしまい、燃焼状態はセーブ運転になっていないにもかかわらず、表示はセーブ運転表示をしていることになる。しかし本発明の実施例によると、設定温度が所定時間継続しないと設定温度を取り込まないために、運転初期に設定温度の変更があっても、セーブ運転とその表示を同期することができる。
【００１７】
【発明の効果】
以上の説明から明らかなように、本発明の温風暖房装置の第一の請求項は、セーブ運転と設定温度を取り込む際に、設定温度を変更したときには、設定温度を取り込まず、所定時間経過してから取り込むため、設定温度の変更があっても、セーブ運転とその表示を同期することができるため、使用者に誤解を与えることがない。
【００１８】
第二の請求項は、温度設定スイッチにて設定された設定温度が所定温度継続しないと設定温度を取り入れないため、設定温度の変更があっても、セーブ運転とその表示を同期することができるため、使用者に誤解を与えることがない。
【図面の簡単な説明】
【図１】本発明の一実施例の温風暖房装置の構成図
【図２】同装置のフローチャート
【図３】本発明の他の実施例の温風暖房装置のフローチャート
【図４】従来の温風暖房装置の構成図
【図５】同装置のフローチャート
【符号の説明】
２  ガス量調節装置
３  燃焼室
５  運転スイッチ
６  温度設定スイッチ
７  室温検出器
８  表示手段
１０  制御手段
【図１】
0003680325.tif 000002
【図２】
0003680325.tif 000003
【図３】
0003680325.tif 000004
【図４】
0003680325.tif 000005
【図５】
0003680325.tif 000006